(57)【要約】【課題】多数の画象を効率良くレイアウトすることができる画像編集装置を提供する。【解決手段】画像編集装置１０は、液晶ディスプレイ１４の画面に表示された画像をレイアウトして編集するための編集機能を有している。画像編集装置１０は、画面上におけるタッチ操作を検出することができるタッチパネル１５と、タッチパネル１５によるタッチ操作によって選択された複数の画像を所定のスペース内にレイアウトして表示した状態から各画像を編集可能な状態に表示を切り替える表示制御部２３ｂとを備えている。【選択図】図７
2014164730.tif 000002
【特許請求の範囲】
【請求項１】
表示部に表示された複数の画像をレイアウトして編集するための編集機能を有する画像編集装置において、
前記表示部の画面の上に設けられ、前記画面上の任意の位置を押圧するタッチ操作が行われた際に、その位置を検出するタッチパネルと、
前記タッチパネルによる前記タッチ操作によって選択された複数の前記画像を所定のスペース内に隙間を埋めるように配置する制御部とを備えたことを特徴とする画像編集装置。
【発明の詳細な説明】
【技術分野】
【０００１】
本発明は、複数の画像をレイアウトする画像編集装置に関する。
【背景技術】
【０００２】
デジタルカメラなどで取得した複数の画像をアルバム状にレイアウトしたデータを生成し、そのデータを表示装置に出力して電子アルバムとして閲覧したり、そのデータを紙などの印刷媒体に印刷して通常の写真アルバムのように閲覧したりする、いわゆるフォトブックが知られている。
【０００３】
特許文献１、２に記載されているように、フォトブックの生成には、複数の画像を画面上で編集できるようにした画像編集装置が用いられる。画像編集装置は、画像を拡大又は縮小する機能、画像を回転させて向きを調節する機能、画像の上あるいはその周辺に文字を記入する機能、さらには画像を装飾枠に嵌め込む機能などといった様々な編集機能を有しており、複数の画像を単純に並べて配置するだけでなく、これらの各画像に様々な加工を施すことができるようになっている。
【０００４】
このため、フォトブックでは、ただ写真や画像を並べただけの写真アルバムや電子アルバムに比べて格段に見栄えを良くすることができ、フォトブックは、思い出の画像をより色濃く残しておきたい場合や贈り物としたい場合などに重用されている。
【０００５】
画像編集装置は、ラボ店などに設置され、顧客からの要望に応じて店員が操作したり、顧客自身が操作を行って所望のフォトブックを生成したりしている。また、近年では、自宅のパーソナルコンピュータ（以下、ＰＣと略す。）を画像編集装置として使用し、このＰＣで作成したフォトブック用のデータをインターネットを経由してプリント店などに送信し、フォトブックを注文することができる。
【先行技術文献】
【特許文献】
【０００６】
【特許文献１】特開２００９−２３８１６２号公報
【特許文献２】特開２００９−２４４７２５号公報
【発明の概要】
【発明が解決しようとする課題】
【０００７】
最近では、メモリーカードなどの記憶媒体の容量が増加するにつれて、デジタルカメラによる画像の撮影枚数が増加する傾向にあるため、画像編集装置では、多数の画像を所定のスペースに効率良くレイアウトすることが求められている。しかしながら、上記特許文献１，２記載の画像編集装置では、多数の画像をレイアウトすることは考慮されておらず、編集に時間が掛かってしまう。
【０００８】
本発明は、上記課題を鑑みてなされたものであり、多数の画象を効率良くレイアウトすることができる画像編集装置を提供することを目的とする。
【課題を解決するための手段】
【０００９】
上記目的を達成するために、本発明の画像編集装置は、表示部に表示された複数の画像をレイアウトして編集するための編集機能を有する画像編集装置において、表示部の画面の上に設けられ、画面上の任意の位置を押圧するタッチ操作が行われた際に、その位置を検出するタッチパネルと、タッチパネルによるタッチ操作によって選択された複数の画像を所定のスペース内に隙間を埋めるように配置する制御部とを備えている。
【発明の効果】
【００１０】
本発明の画像編集装置によれば、タッチパネルによるタッチ操作によって選択された複数の画像を所定のスペース内に隙間を埋めるように配置しているので、多数の画象を効率良くレイアウトすることができる。
【図面の簡単な説明】
【００１１】
【図１】画像編集装置の外観を正面側から視た斜視図である。
【図２】画像編集装置の正面図である。
【図３】画像編集装置の背面図である。
【図４】画像編集装置の平面図である。
【図５】画像編集装置の底面図である。
【図６】画像編集装置の左側面図である。
【図７】画像編集装置の内部構成を示すブロック図である。
【図８】画像選択用のワークスペースの一例を示す説明図である。
【図９Ａ】選択された画像が配置されるパターン１のレイアウトを示す画面の拡大図である。
【図９Ｂ】パターン１で画像がレイアウトされた自動編集済みの画面の拡大図である。
【図１０Ａ】図９Ｂに示す状態から編集操作ボタンを表示したときの状態を示す画面の拡大図である。
【図１０Ｂ】図１０Ａに示す状態から編集操作ボタンを操作したときの状態を示す画面の拡大図である。
【図１１Ａ】パターン１〜４に対応するレイアウト変更用の画面の拡大図である。
【図１１Ｂ】パターン１〜４に対応するレイアウト変更用の画面の拡大図である。
【図１１Ｃ】パターン１〜４に対応するレイアウト変更用の画面の拡大図である。
【図１１Ｄ】パターン１〜４に対応するレイアウト変更用の画面の拡大図である。
【図１１Ｅ】パターン１〜４に対応するレイアウト変更用の画面の拡大図である。
【図１１Ｆ】パターン１〜４に対応するレイアウト変更用の画面の拡大図である。
【図１１Ｇ】パターン１〜４に対応するレイアウト変更用の画面の拡大図である。
【図１１Ｈ】パターン１〜４に対応するレイアウト変更用の画面の拡大図である。
【図１１Ｉ】パターン１〜４に対応するレイアウト変更用の画面の拡大図である。
【図１１Ｊ】パターン１〜４に対応するレイアウト変更用の画面の拡大図である。
【図１１Ｋ】パターン１〜４に対応するレイアウト変更用の画面の拡大図である。
【図１１Ｌ】パターン１〜４に対応するレイアウト変更用の画面の拡大図である。
【図１１Ｍ】パターン１〜４に対応するレイアウト変更用の画面の拡大図である。
【図１２】選択された画像が配置されるパターン２のレイアウトを示す画面の拡大図である。
【図１３】選択された画像が配置されるパターン３のレイアウトを示す画面の拡大図である。
【図１４】選択された画像が配置されるパターン４のレイアウトを示す画面の拡大図である。
【図１５】選択された画像が配置されるパターン５のレイアウトを示す画面の拡大図である。
【図１６】図１５に示す状態から画像を編集可能な状態にしたときの画面の拡大図である。
【図１７】選択された画像が配置されるパターン６のレイアウトを示す画面の拡大図である。
【図１８】選択された画像が配置されるパターン７のレイアウトを示す画面の拡大図である。
【図１９】選択された画像が配置されるパターン８のレイアウトを示す画面の拡大図である。
【図２０】選択された画像が配置されるパターン９のレイアウトを示す画面の拡大図である。
【図２１】図２０に示す状態から画像を編集可能な状態にしたときの画面の拡大図である。
【図２２】選択された画像が配置されるパターン１０のレイアウトを示す画面の拡大図である。
【図２３】選択された画像が配置されるパターン１１のレイアウトを示す画面の拡大図である。
【図２４】選択された画像が配置されるパターン１２のレイアウトを示す画面の拡大図である。
【図２５】選択された画像が配置されるパターン１３のレイアウトを示す画面の拡大図である。
【図２６】図２５に示す状態から画像を編集可能な状態にしたときの画面の拡大図である。
【図２７】選択された画像が配置されるパターン１４のレイアウトを示す画面の拡大図である。
【図２８】選択された画像が配置されるパターン１５のレイアウトを示す画面の拡大図である。
【図２９】選択された画像が配置されるパターン１６のレイアウトを示す画面の拡大図である。
【図３０】選択された画像が配置されるパターン１７のレイアウトを示す画面の拡大図である。
【図３１】図３０に示す状態から画像を編集可能な状態にしたときの画面の拡大図である。
【図３２】選択された画像が配置されるパターン１８のレイアウトを示す画面の拡大図である。
【図３３】選択された画像が配置されるパターン１９のレイアウトを示す画面の拡大図である。
【図３４】選択された画像が配置されるパターン２０のレイアウトを示す画面の拡大図である。
【図３５】選択された画像が配置されるパターン２１のレイアウトを示す画面の拡大図である。
【図３６】図３５に示す状態から画像を編集可能な状態にしたときの画面の拡大図である。
【図３７】選択された画像が配置されるパターン２２のレイアウトを示す画面の拡大図である。
【図３８】選択された画像が配置されるパターン２３のレイアウトを示す画面の拡大図である。
【図３９】選択された画像が配置されるパターン２４のレイアウトを示す画面の拡大図である。
【図４０】選択された画像が配置されるパターン２５のレイアウトを示す画面の拡大図である。
【図４１】図４０に示す状態から画像を編集可能な状態にしたときのペ画面の拡大図である。
【図４２】選択された画像が配置されるパターン２６のレイアウトを示す画面の拡大図である。
【図４３】選択された画像が配置されるパターン２７のレイアウトを示す画面の拡大図である。
【図４４】選択された画像が配置されるパターン２８のレイアウトを示す画面の拡大図である。
【図４５】選択された画像が配置されるパターン２９のレイアウトを示す画面の拡大図である。
【図４６】図４５に示す状態から画像を編集可能な状態にしたときの画面の拡大図である。
【図４７】選択された画像が配置されるパターン３０のレイアウトを示す画面の拡大図である。
【図４８】選択された画像が配置されるパターン３１のレイアウトを示す画面の拡大図である。
【図４９】選択された画像が配置されるパターン３２のレイアウトを示す画面の拡大図である。
【図５０】選択された画像が配置されるパターン３３のレイアウトを示す画面の拡大図である。
【図５１】図５０に示す状態から画像を編集可能な状態にしたときの画面の拡大図である。
【図５２】選択された画像が配置されるパターン３４のレイアウトを示す画面の拡大図である。
【図５３】選択された画像が配置されるパターン３５のレイアウトを示す画面の拡大図である。
【図５４】選択された画像が配置されるパターン３６のレイアウトを示す画面の拡大図である。
【図５５】選択された画像が配置されるパターン３７のレイアウトを示す画面の拡大図である。
【図５６】図５５に示す状態から画像を編集可能な状態にしたときの画面の拡大図である。
【図５７】選択された画像が配置されるパターン３８のレイアウトを示す画面の拡大図である。
【図５８】選択された画像が配置されるパターン３９のレイアウトを示す画面の拡大図である。
【図５９】選択された画像が配置されるパターン４０のレイアウトを示す画面の拡大図である。
【図６０】選択された画像が配置されるパターン４１のレイアウトを示す画面の拡大図である。
【図６１】図６０に示す状態から画像を編集可能な状態にしたときの画面の拡大図である。
【図６２】選択された画像が配置されるパターン４２のレイアウトを示す画面の拡大図である。
【図６３】選択された画像が配置されるパターン４３のレイアウトを示す画面の拡大図である。
【図６４】選択された画像が配置されるパターン４４のレイアウトを示す画面の拡大図である。
【図６５】選択された画像が配置されるパターン４５のレイアウトを示す画面の拡大図である。
【図６６】図６５に示す状態から画像を編集可能な状態にしたときの画面の拡大図である。
【図６７】選択された画像が配置されるパターン４６のレイアウトを示す画面の拡大図である。
【図６８】選択された画像が配置されるパターン４７のレイアウトを示す画面の拡大図である。
【図６９】選択された画像が配置されるパターン４８のレイアウトを示す画面の拡大図である。
【図７０】選択された画像が配置されるパターン４９のレイアウトを示す画面の拡大図である。
【図７１】図７０に示す状態から画像を編集可能な状態にしたときの画面の拡大図である。
【図７２】選択された画像が配置されるパターン５０のレイアウトを示す画面の拡大図である。
【図７３】選択された画像が配置されるパターン５１のレイアウトを示す画面の拡大図である。
【図７４】選択された画像が配置されるパターン５２のレイアウトを示す画面の拡大図である。
【発明を実施するための形態】
【００１２】
図１ないし図６において、画像編集装置１０は、プリント注文店に設置された専用の店頭端末機であり、タッチパネル付き表示部１１と、記録メディア２１（図７参照）が着脱自在に装填されるメディアスロット１２とを備えている。なお、画像編集装置１０の右側面図については、図６に示す左側面図と対称な形状をしている。
【００１３】
図７に示すように、タッチパネル付き表示部１１は、複数の画像２２をレイアウトする編集を行うための種々の操作画面などを表示する液晶ディスプレイ（表示部）１４と、透明なシート状に形成され、指や専用のペンなどで表面を押圧する操作（以下、タッチ操作と称す）が行われた際に、その位置を検出するタッチパネル１５とを備えている。タッチパネル１５は、液晶ディスプレイ１４の画面サイズと略同一の大きさに形成され、液晶ディスプレイ１４の画面３０（図８〜図１４参照）の上に設けられている。
【００１４】
これにより、タッチパネル１５は、液晶ディスプレイ１４に表示された操作画面などの種々の映像を透過させ、その閲覧を可能にしつつ、液晶ディスプレイ１４の画面３０上の任意の位置のタッチ操作の検出を可能にする。また、このタッチパネル１５には、複数の位置のタッチ操作を同時に検出できるものが用いられている。
【００１５】
この画像編集装置１０は、メディアスロット１２に装填された記録メディア２１から、デジタルカメラなどで撮影した複数の画像２２を読み出し、各画像をレイアウトして、フォトブックと称される電子アルバムを作成する。このフォトブックの作成では、液晶ディスプレイ１４の画面３０上でフォトブックに使用する画像を選択してから、自動レイアウトを選択すれば、フォトブックの各ページが作成される。また、この画像編集装置１０では、液晶ディスプレイ１４の画面３０上にタッチパネル１５を設けることにより、画像２２の選択、レイアウトなどフォトブックの生成に必要な各種の操作を、タッチ操作で行うことができる。
【００１６】
画像編集装置１０は、液晶ディスプレイ１４、タッチパネル１５の他に、ＣＰＵ２３と、システムメモリ２４と、液晶ドライバ２５と、タッチパネルドライバ２６と、メディアコントローラ２７と、出力インタフェース（Ｉ／Ｆ）２８とを備えている。これらの各部は、バス２９を介して相互に接続されている。
【００１７】
システムメモリ２４は、画像編集装置１０の各種の処理に対応したプログラム２４ａや、このプログラム２４ａの処理に必要な各種のデータを記憶したＲＯＭ領域と、プログラム２４ａの処理の過程などで生じた種々のデータを一時的に記憶するＲＡＭ領域とを有している。ＣＰＵ２３は、システムメモリ２４からプログラム２４ａを読み出し、このプログラム２４ａを逐次処理することによって、画像編集装置１０の各部を統括的に制御する。
【００１８】
液晶ドライバ２５は、液晶ディスプレイ１４の動作を制御し、ＣＰＵ２３からの指示に応じた映像信号を液晶ディスプレイ１４に出力することにより、操作画面などの種々の映像を液晶ディスプレイ１４に表示させる。タッチパネルドライバ２６は、タッチパネル１５の動作を制御し、所定の位置のタッチ操作をタッチパネル１５が検出した際に、その位置を示す検出結果を所定の電気信号に変換してＣＰＵ２３に入力する。
【００１９】
メディアコントローラ２７は、上述したメディアスロット１２に接続されており、ＣＰＵ２３からの指示に応じて、このメディアスロットに装着された記録メディア２１にアクセスすることにより、記録メディア２１に対するデータの読み書きを行う。ＣＰＵ２３は、例えば、フォトブックの基となる画像データ２２を記録メディア２１から取り込む際や、生成されたフォトブックのデータを記録メディア２１に書き込む際に、メディアコントローラ２７を介して記録メディア２１にアクセスする。
【００２０】
なお、記録メディア２１は、ＵＳＢメモリやＳＤカードなどの周知のメディアでよい。そして、メディアコントローラ２７には、こうした記録メディア２１の規格に準拠したものを適宜採用すればよい。また、メディアコントローラ２７は、複数種類の記録メディア２１に対応し、それらの各記録メディア２１に対してデータを読み書きできるものでもよい。
【００２１】
出力Ｉ／Ｆ２８は、画像編集装置１０とプリンタ１３とを接続するためのケーブルの一端が嵌合するコネクタを有し、このコネクタ及びケーブルを介してプリンタ１３との電気的接続を得る。そして、出力Ｉ／Ｆ２８は、ＣＰＵ２３からの指示に応じて印刷データをプリンタ１３に出力することにより、その印刷データに基づいた印刷をプリンタ１３に実行させる。
【００２２】
ＣＰＵ２３は、例えば、生成されたフォトブックのデータを印刷媒体に印刷し、フォトブックを完成させる際に、生成されたフォトブックのデータからプリンタ１３の形式に応じた印刷データを生成し、その印刷データを出力Ｉ／Ｆ２８を介してプリンタ１３に出力する。なお、プリンタ１３には、例えば、光沢紙などにインクを塗布して画像を形成するインクジェット方式のプリンタや、印画紙に露光を行って画像を形成する方式のプリンタなど、周知のプリンタを用いればよい。
【００２３】
ＣＰＵ２３には、判定部２３ａと、表示制御部２３ｂとが設けられている。判定部２３ａは、タッチパネル１５によるタッチ操作の検出結果を基に、液晶ディスプレイ１４に表示された画像２２を編集するための各種の編集機能の実行が要求されたか否かを判定する。表示制御部２３ｂは、タッチパネル１５によるタッチ操作の検出結果、及び判定部２３ａの判定結果に応じて、液晶ディスプレイ１４の表示を制御する。
【００２４】
画像編集装置１０では、フォトブックを作成する際、ユーザは先ず、タッチパネル１５をタッチ操作して画像選択プログラムを起動する。画像選択プログラムを起動されると、表示制御部２３ｂは、液晶ディスプレイ１４の画面３０内に、画像の選択作業を行うためのワークスペース３１を表示する。
【００２５】
図８に示すように、画面３０内には画像選択用のワークスペース３１が表示され、また、ポインタ３２も同時に表示される。ポインタ３２は、タッチ操作に連動してワークスペース３１上を移動する。ユーザは、ワークスペース３１上でポインタ３２を移動させて画像２２の選択作業を行う。
【００２６】
ワークスペース３１は、使用画像枠３１ａと、保留画像枠３１ｂと、不使用画像枠３１ｃとに区画されている。これらの各枠３１ａ〜３１ｃは横並びに並列に配置されている。これにより、各枠３１ａ〜３１ｃは一画面内に同時に表示される。デフォルトでは、画像２２の全てが使用画像枠３１ａの枠内に配置される。枚数表示枠３１ｄには、各枠内に配置された画像２２の枚数が表示される。
【００２７】
使用画像枠３１ａには、フォトブックに使用する画像２２が配置される。不使用画像枠３１ｃには、フォトブックに使用しない画像２２が配置される。保留画像枠３１ｂには、フォトブックに使用するか否かを決定していない画像２２が配置される。使用画像枠３１ａの枠内に配置された画像２２を保留画像枠３１ｂや不使用画像枠３１ｃの枠内に移動させることにより、画像２２がフォトブックの作成に使用するか否かを決定しているものと、決定していないものとに振り分けられる。なお、画像編集装置１０で実行する画像選択プログラムとしては、上記の例に限定するものではなく、複数の画像からユーザが所望する画像を選択可能なプログラムであればよい。
【００２８】
画面３０内には、ワークスペース３１の他に、自動レイアウトボタン３４が配置されている。自動レイアウトボタン３４をタッチ操作すると、レイアウトプログラムが起動して、使用画像枠３１ａの枠内に配置された複数の画像２２から自動編集してフォトブックの各ページが作成される。本実施形態では、上記の選択作業で選択された画像２２を見開きの２ページに１２個ずつ所定のパターンでレイアウトする。
【００２９】
図９Ａ及び図９Ｂに示すように、レイアウトプログラムによりフォトブックの各ページが作成されると、表示制御部２３ｂは、画面３０内にページ編集を行うためのワークスペース３５を表示する。このページ編集用のワークスペース３５には、レイアウトプログラムにより自動編集され、１２個の画像２２がレイアウトされた見開きの２ページ３６，３７が表示される。図９Ａは、ワークスペース３５内に表示されるパターン１のレイアウトを示す画面３０の拡大図であり、図９Ｂは、パターン１で１２個の画像２２がレイアウトされた自動編集済みの画面３０の拡大図である。パターン１のレイアウトでは、画像２２が配置される１２個の画像枠３８ａ〜３８ｌが設定されている。なお、本実施形態では、後述するレイアウト変更操作がされていない初期設定では、このパターン１のレイアウトが選択される設定となっている。
【００３０】
このパターン１のレイアウトでは、左側ページ３６の上段に配されたメイン画像枠３８ａは、１２個の画像枠のなかで最も大きいサイズで、一辺の長さがページの幅に近い正方形の画像枠である。このメイン画像枠３８ａの下方左側に横長の画像枠３８ｂが１つ横配置され、下方右側に横長の画像枠３８ｃ，３８ｄが２つ縦に並んで横配置されている。
【００３１】
また、右側ページ３７には、画像枠が４個ずつ２列に配されており、右側ページ３７の左半分には、上から順に横長、横長、正方形、横長の画像枠３８ｅ〜２２ｈが配され、右側ページ３７の右半分には、上から順に横長、正方形、横長、横長の画像枠３８ｉ〜３８ｌが配されている。なお、このようにレイアウトされる画像枠３８ａ〜３８ｌのうち、正方形及び横長の画像枠のいずれにおいても、横長の画像２２が配置されるが、正方形の画像枠の場合、画像２２の両側がトリミングされて配置される。以上のように、１２個の画像２２がページ３６，３７の中に効率良く配置される。なお、後述するパターン２〜パターン５４のレイアウトにおいては、正方形の画像枠に画像２２を配置する場合、横長の画像２２の場合は、両側がトリミングされ、縦長の画像２２の場合は、上下がトリミングされて配置される。
【００３２】
図１０Ａに示すように、ワークスペース３５に表示された各ページ３６，３７の画像枠３８ａ〜３８ｌ内の画像２２のうち、編集したい１つの画像２２をタッチ操作して指定すると、その４隅に編集操作ボタン４０ａ〜４０ｂが表示される。この編集操作ボタン４０ａ〜４０ｂをタッチ操作することで指定された画像２２が編集される。なお、後述するパターン２〜パターン５４のレイアウトにおいても同様に、編集したい１つの画像２２をタッチ操作して指定すると、その４隅に編集操作ボタン４０ａ〜４０ｂが表示され、画像２２が編集される。
【００３３】
指定された画像２２を編集する機能としては、編集操作ボタン４０ａは、画像２２を別の画像に入れ替える入れ替えボタン、編集操作ボタン４０ｂは、画像２２をフォトブックのページからはずして空欄にする画像をはずすボタン、編集操作ボタン４０ｃは、画像２２を任意の傾きに回転させる回転ボタン、編集操作ボタン４０ｄは、画像２２を画像枠内でズームさせるズームボタンとしての機能がそれぞれ割り当てられている。図１０Ｂに示すように、例えば、編集操作ボタン４０ｄをタッチ操作すれば、指定された画像が拡大される。
【００３４】
また、ワークスペース３５内には、日付表示ボタン４１、レイアウト変更ボタン４２、背景色変更ボタン４３、自動色補正ボタン４４、コメント入力ボタン４５、スタンプ追加ボタン４６、ページ変更ボタン４７ａ，４７ｂなどが配置されている。ページ変更ボタン４７ａ，４７ｂは、ページ３６，３７の左右に配されており、ページ変更ボタン４７ｂをタッチ操作すると、ワークスペース３５内の表示が次の見開きの２ページ分に切り換わり、ページ変更ボタン４７ａをタッチ操作すると、ワークスペース３５内の表示が前の見開きの２ページ分に戻る。
【００３５】
また、画面３０には、ワークスペース３５の他に、注文中止ボタン５１、戻るボタン５２、保存ボタン５３、プレビューボタン５４が配置されている。注文中止ボタン５１をタッチ操作すると、これまでの操作が無効になり、画像編集装置１０は、フォトブック作成前の初期状態に戻る。また、戻るボタン５２は、現在の状態から１つ前の操作を行ったときの状態に戻す機能が、プレビューボタン５４は、編集中のページが実際にプリントされるときのイメージを表示させる機能が割り当てられている。
【００３６】
保存ボタン５３は、フォトブックの編集を終了して現在の状態を保存するとき、タッチ操作される。保存ボタン５３がタッチ操作されると、ＣＰＵ２３は、上記の各処理で編集されたフォトブックの各ページのデータ（以下、編集データと称す）をシステムメモリ２４に一時的に保存する。ＣＰＵ２３は、システムメモリ２４に保存された各編集データをプリンタ１３の形式に応じた印刷データに変換し、その印刷データを出力Ｉ／Ｆ２８を介してプリンタ１３に出力することにより、プリンタ１３に印刷を実行させる。これにより、ユーザが任意にレイアウトした静止画像２２や背景が印刷媒体に印刷され、これを製本することでフォトブックが完成する。また、ＣＰＵ２３は、各編集データを印刷するとともに、これらの各編集データを記録メディア２１に保存することにより、生成された各編集データを顧客が持ち帰れるようにする。この際、各編集データを仮想印刷して画像データに変換し、これらの各画像データを各編集データとともに記録メディア２１に保存するようにしてもよい。
【００３７】
レイアウト変更ボタン４２をタッチ操作すると、図１１Ａに示すレイアウト選択用ワークスペース３９に切り換わる。レイアウト選択用ワークスペース３９に切り換わったとき、先ず表示されるのは、初期設定で選択されている画像のレイアウトのパターン１を含むパターン１〜４に対応するレイアウトボタン１５１ａ〜１５１ｅが配置されている。レイアウトボタン１５１ａには、現在選択されていることを示すチェックマーク４９が付されている。そして、レイアウトボタン１５１ａ以外のレイアウトボタン１５１ｂ〜１５１ｅのいずれかをタッチ操作すると、選択された１２個の画像はそのままで、現在とは異なるパターン２〜４のいずれか１つのレイアウトに変更される。レイアウトボタン１５１ａをタッチ操作するともとのパターン１でレイアウトされたワークスペース３５に戻る。レイアウトボタン１５１ａ〜１５１ｃのいずれかがタッチ操作されると、ページ編集を行うためのワークスペース３５が再度表示され、画像の編集が可能になる。
【００３８】
レイアウト選択用ワークスペース３９には、送りボタン４９ａ，４９ｂが表示されており、パターン１〜４のレイアウトが好みではない場合、これらの送りボタン４９ａ，４９ｂをタッチ操作すると、他のパターンに対応するレイアウトボタンが配置されたレイアウト選択用ワークスペース３９に表示が切り換わる。図１１Ｂは、パターン５〜８に対応するレイアウトボタン１５２ａ〜１５２ｄが配置されたレイアウト選択用ワークスペース３９を示す。以降は、図１１Ｃ〜図１１Ｍに示すように、送りボタン４９ａ，４９ｂをタッチ操作すると、パターン９〜パターン５４に対応するレイアウトボタン１５３ａ〜１５３ｄ，１５４ａ〜１５４ｄ，１５５ａ〜１５５ｄ，１５６ａ〜１５６ｄ，１５７ａ〜１５７ｄ，１５８ａ〜１５８ｄ，１５９ａ〜１５９ｄ，１６０ａ〜１６０ｄ，１６１ａ〜１６１ｄ，１６２ａ〜１６２ｄ，１６３ａ〜１６３ｄが配置されたレイアウト選択用ワークスペース３９に順次切り替えることができる。
【００３９】
レイアウトが初期設定のパターン１からパターン２〜４のいずれかに変更されたとき、図１２に示すように、パターン２のレイアウトでは、パターン１のレイアウトを左側のページ３６と右側ページ３７とで入れ替えた配置としており、パターン１で左側ページ３６に配置された画像枠３８ａ〜３８ｄが右側ページ３７に、パターン１で右側ページ３７に配置された画像枠３８ｅ〜３８ｉが左側ページ３６に配置され、これらの画像枠３８ａ〜３８ｉ内に画像２２が配置される。また、図１３に示すように、パターン３のレイアウトでは、パターン１のレイアウトに対して見開きの２ページ３６，３７を左右反転した画像枠３８ａ〜３８ｉの配置となっており、これらの画像枠３８ａ〜３８ｉ内に画像２２が配置される。さらにまた、図１４に示すように、パターン４のレイアウトでは、パターン１のレイアウトを左側のページ３６と右側ページ３７とで入れ替え、さらに左右反転した画像枠３８ａ〜３８ｉの配置（すなわち、パターン２の画像枠３８ｅ〜３８ｉを左右反転した配置）としており、これらの画像枠３８ａ〜３８ｉ内に画像２２が配置される。
【００４０】
パターン５〜８のレイアウトでは、２ページ分にレイアウトされた１２個の画像について、１個の画像を縦配置するものである。図１５に示すように、パターン５のレイアウトでは、左側ページ６１は、上記第１実施形態と同様の配置、すなわち、左側ページ６１の上段に１２個の画像枠６３ａ〜６３ｌのなかで最も大きいサイズのメインの画像枠６３ａが配され、画像枠６３ａの下方左側に横長の画像枠６３ｂが１つ横配置され、下方右側に横長の画像枠６３ｃ，６３ｄが２つ縦に並んで横配置されている。
【００４１】
また、右側ページ６２には、画像枠が２個ずつ４段に並んで配されおり、最上段には、横長の画像枠６３ｅ，６３ｆが横配置で２個横に並び、上から２段目は、右側に横長の画像枠６３ｇが、左側に縦長の画像枠６３ｈが配されており、上から３、４段目は、最上段と同様に横長の画像枠６３ｉ〜６３ｌが２個ずつ横に並ぶ配置となっている。なお、このようにレイアウトされる画像枠６３ａ〜６３ｌのうち、正方形及び横長の画像枠内には画像２２が横配置されるとともに、縦長の画像枠内には画像が縦配置される。図１６は、パターン５のレイアウトについて、編集したい１つの画像２２をタッチ操作して、その４隅に編集操作ボタン４０ａ〜４０ｂが表示される状態を示す。
【００４２】
図１７に示すように、パターン６のレイアウトでは、パターン５のレイアウトを左側のページ６１と右側ページ６２とで入れ替えた配置とし、これらの画像枠６３ａ〜６３ｌ内に画像２２が配置される。また、図１８に示すように、パターン７のレイアウトでは、パターン５のレイアウトに対して見開きの２ページ６１，６２を左右反転した画像枠６３ａ〜６３ｌの配置となっており、これらの画像枠６３ａ〜６３ｌ内に画像２２が配置される。さらにまた、図１９に示すように、パターン８のレイアウトでは、パターン５のレイアウトを左側のページ６１と右側ページ６２とで入れ替え、さらに左右反転した画像枠６３ａ〜６３ｌの配置としており、これらの画像枠６３ａ〜６３ｌ内に画像２２が配置される。
【００４３】
パターン９〜１２のレイアウトでは、２ページ分にレイアウトされた１２個の画像について、２個の画像を縦配置するものである。図２０に示すように、パターン９のレイアウトでは、左側ページ６６の上段に１２個の画像枠６８ａ〜６８ｌのなかで最も大きいサイズで横長のメインの画像枠６８ａが横配置される。また、左側ページ６６のメイン画像枠６８ａの下方左側には、上から順に正方形、横長の画像枠６８ｂ，６８ｃが配され、下方右側には、上から順に横長、正方形の画像枠６８ｄ，６８ｅが配されている。
【００４４】
また、右側ページ６７の上段左側には、メインの画像枠６８ａの次にサイズの大きい縦長の画像枠６８ｆが縦配置され、上段右側には、横長の画像枠６８ｇ，６８ｈが２つ縦に並んでいる。右側ページ６７の中段には、横長の画像枠６８ｉ，６８ｊが２つ横に並び、下段には、右側に横長の画像枠６８ｋが、左側に縦長の画像枠６８ｌが配されている。なお、このようにレイアウトされる画像枠６８ａ〜６８ｌのうち、正方形及び横長の画像枠内には画像２２が横配置されるとともに、縦長の画像枠内には画像２２が縦配置される。図２１は、パターン９のレイアウトについて、編集したい１つの画像２２をタッチ操作して、その４隅に編集操作ボタン４０ａ〜４０ｂが表示される状態を示す。
【００４５】
図２２に示すように、パターン１０のレイアウトでは、パターン９のレイアウトを左側のページ６６と右側ページ６７とで入れ替えた配置とし、これらの画像枠６８ａ〜６８ｌ内に画像２２が配置される。また、図２３に示すように、パターン１１のレイアウトでは、パターン９のレイアウトに対して見開きの２ページ６６，６７を左右反転した画像枠６８ａ〜６８ｌの配置となっており、これらの画像枠６８ａ〜６８ｌ内に画像２２が配置される。さらにまた、図２４に示すように、パターン１２のレイアウトでは、パターン９のレイアウトを左側のページ６６と右側ページ６７とで入れ替え、さらに左右反転した画像枠６８ａ〜６８ｌの配置としており、これらの画像枠６８ａ〜６８ｌ内に画像２２が配置される。
【００４６】
パターン１３〜１６のレイアウトでは、２ページ分にレイアウトされた１２個の画像について、３個の画像を縦配置するものである。図２５に示すように、パターン１３のレイアウトでは、左側ページ７１の上段に１２個の画像枠７３ａ〜７３ｌのなかで最も大きいサイズで横長のメインの画像枠７３ａが横配置される。また、左側ページ７１の中段には、横長の画像枠７３ｂ，７３ｃが横配置で２つ横に並び、下段には、左側に横長の画像枠７３ｄが横配置で、右側に縦長の画像枠７３ｅが縦配置で配されている。
【００４７】
また、右側ページ７２の上段左側には、メイン画像枠７３ａの次にサイズの大きい縦長の画像枠７３ｆが縦配置され、画像枠７３ｆの右側には、横長の画像枠７３ｇ，７３ｈが横配置で２つ縦に並んでいる。右側ページ７２の中段には、横長の画像枠７３ｉ，７３ｊが横配置で２つ横に並び、下段には、右側に横長の画像枠７３ｋが横配置で、左側に縦長の画像枠７３ｌが縦配置で配されている。なお、このようにレイアウトされる画像枠７３ａ〜７３ｌのうち、横長の画像枠内には画像が横配置されるとともに、縦長の画像枠内には画像２２が縦配置される。上記第１実施形態と同様に、１２個の画像枠７３ａ〜７３ｌが２ページ７１，７２の中に効率良く配置される。図２６は、パターン１３のレイアウトについて、編集したい１つの画像２２をタッチ操作して、その４隅に編集操作ボタン４０ａ〜４０ｂが表示される状態を示す。
【００４８】
図２７に示すように、パターン１４のレイアウトでは、パターン１３のレイアウトを左側のページ７１と右側ページ７２とで入れ替えた配置とし、これらの画像枠７３ａ〜７３ｌ内に画像２２が配置される。また、図２８に示すように、パターン１５のレイアウトでは、パターン１３のレイアウトに対して見開きの２ページ７１，７２を左右反転した画像枠７３ａ〜７３ｌの配置となっており、これらの画像枠７３ａ〜７３ｌ内に画像２２が配置される。さらにまた、図２９に示すように、パターン１６のレイアウトでは、パターン１３のレイアウトを左側のページ７１と右側ページ７２とで入れ替え、さらに左右反転した画像枠７３ａ〜７３ｌの配置としており、これらの画像枠７３ａ〜７３ｌ内に画像２２が配置される。
【００４９】
パターン１７〜２０のレイアウトでは、２ページ分にレイアウトされた１２個の画像について、４個の画像を縦配置するものである。図３０に示すように、パターン１７のレイアウトでは、左側ページ７６の上段に１２個の画像枠７８ａ〜７８ｌのなかで最も大きいサイズで横長のメインの画像枠７８ａが横配置される。また、左側ページ７６のメインの画像枠７８ａの下方左側には、上から順に横長、正方形の画像枠内に画像枠７８ｂ，７８ｃが配され、下方右側には、上から順に正方形、横長の画像枠内に画像枠７８ｄ，７８ｅが配されている。
【００５０】
また、右側ページ７７の上段には、右側に横長の画像枠７８ｆが横配置で、左側に縦長の画像枠７８ｇが縦配置で配されている。右側ページ７７の中段には、横長の画像枠７８ｈ，７８ｉが横配置で２つ横に並び、下段左側には、メイン画像の次にサイズの大きい縦長の画像枠７８ｊが縦配置され、画像枠７８ｊの右側には、横長の画像枠７８ｋ，ｌが横配置で２つ縦に並んでいる。なお、このようにレイアウトされる画像枠７８ａ〜７８ｌのうち、正方形及び縦長の画像枠内には画像２２が縦配置されるとともに、横長の画像枠内には画像２２が横配置される。図３１は、パターン１７のレイアウトについて、編集したい１つの画像２２をタッチ操作して、その４隅に編集操作ボタン４０ａ〜４０ｂが表示される状態を示す。
【００５１】
図３２に示すように、パターン１８のレイアウトでは、パターン１７のレイアウトを左側のページ７６と右側ページ７７とで入れ替えた配置とし、これらの画像枠７８ａ〜７８ｌ内に画像２２が配置される。また、図３３に示すように、パターン１９のレイアウトでは、パターン１７のレイアウトに対して見開きの２ページ６６，６７を左右反転した画像枠６８ａ〜６８ｌの配置となっており、これらの画像枠６８ａ〜６８ｌ内に画像２２が配置される。さらにまた、図３４に示すように、パターン２０のレイアウトでは、パターン１７のレイアウトを左側ページ７６と右側ページ７７とで入れ替え、さらに左右反転した画像枠６８ａ〜６８ｌの配置としており、これらの画像枠６８ａ〜６８ｌ内に画像２２が配置される。
【００５２】
パターン２１〜２４のレイアウトでは、２ページ分にレイアウトされた１２個の画像について、５個の画像を縦配置するものである。図３５に示すように、パターン２１のレイアウトでは、左側ページ８１の上段に１２個の画像枠８３ａ〜８３ｌのなかで最も大きいサイズで横長のメインの画像枠８３ａが横配置される。また、左側ページ８１のメイン画像枠８３ａの下方左側には、上から順に横長、正方形の画像枠８３ｂ，８３ｃが配され、下方右側には、上から順に正方形、横長の画像枠８３ｄ，８３ｅが配されている。
【００５３】
また、右側ページ８２の上段には、右側に縦長の画像枠８３ｆが縦配置で、左側に横長の画像枠８３ｇが横配置で配されている。右側ページ８２の中段には、右側に横長の画像枠８３ｈが横配置で、左側に縦長の画像枠８３ｉが縦配置で配され、下段には、縦長の画像枠８３ｊ〜８３ｌが縦配置で３つ横に並んでいる。なお、このようにレイアウトされる画像枠８３ａ〜８３ｌのうち、正方形及び横長の画像枠内には画像２２が横配置されるとともに、縦長の画像枠内には画像２２が縦配置される。図３６に示すように、パターン２１のレイアウトについて、編集したい１つの画像２２をタッチ操作して、その４隅に編集操作ボタン４０ａ〜４０ｂが表示される状態を示す。
【００５４】
図３７に示すように、パターン２２のレイアウトでは、パターン２１のレイアウトを左側のページ８１と右側ページ８２とで入れ替えた配置とし、これらの画像枠８３ａ〜８３ｌ内に画像２２が配置される。また、図３８に示すように、パターン２３のレイアウトでは、パターン２１のレイアウトに対して見開きの２ページ８１，８２を左右反転した画像枠８３ａ〜８３ｌの配置となっており、これらの画像枠８３ａ〜８３ｌ内に画像２２が配置される。さらにまた、図３９に示すように、パターン２４のレイアウトでは、パターン２１のレイアウトを左側のページ８１と右側ページ８２とで入れ替え、さらに左右反転した画像枠８３ａ〜８３ｌの配置としており、これらの画像枠８３ａ〜８３ｌ内に画像２２が配置される。
【００５５】
パターン２５〜２８のレイアウトでは、２ページ分にレイアウトされた１２個の画像について、６個の画像を縦配置するものである。図４０に示すように、パターン２５のレイアウトでは、左側のページ上段には、右側に縦長の画像枠８８ａが縦配置で、左側に横長の画像枠８８ｂが横配置で配され、中段には、右側に横長の画像枠８８ｃが横配置で、左側に縦長の画像枠８８ｄが縦配置で配され、下段には、右側に縦長の画像枠８８ｅが縦配置で、左側に横長の画像枠８８ｆが横配置で配されている
【００５６】
また、右側ページ８７は、左側ページ８６に対して対称な配置であり、右側ページ８７の上段には、右側に横長の画像枠８８ｇが横配置で、左側に縦長の画像枠８８ｈが縦配置で配され、中段には、右側に縦長の画像枠８８ｉが縦配置で、左側に横長の画像枠８８ｊが横配置で配され、下段には、右側に横長の画像枠８８ｋが横配置で、左側に縦長の画像枠８８ｌが縦配置で配されている。なお、このようにレイアウトされる画像枠８８ａ〜８８ｌのうち、横長の画像枠内には画像が横配置されるとともに、縦長の画像枠内には画像が縦配置される。図４１はパターン２５のレイアウトについて、編集したい１つの画像２２をタッチ操作して、その４隅に編集操作ボタン４０ａ〜４０ｂが表示される状態を示す。
【００５７】
図４２に示すように、パターン２６のレイアウトでは、パターン２５のレイアウトを左側のページ８６と右側ページ８７とで入れ替えた配置とし、これらの画像枠８８ａ〜８８ｌ内に画像２２が配置される。また、図４３に示すように、パターン２７のレイアウトでは、パターン２５のレイアウトに対して見開きの２ページ８６，８７を左右反転した画像枠８８ａ〜８８ｌの配置となっており、これらの画像枠８８ａ〜８８ｌ内に画像２２が配置される。さらにまた、図４４に示すように、パターン２８のレイアウトでは、パターン２５のレイアウトを左側ページ８６と右側ページ８７とで入れ替え、さらに左右反転した画像枠８８ａ〜８８ｌの配置としており、これらの画像枠８８ａ〜８８ｌ内に画像２２が配置される。
【００５８】
パターン２９〜３２のレイアウトでは、２ページ分にレイアウトされた１２個の画像について、７個の画像を縦配置するものである。図４５に示すように、パターン２９のレイアウトでは、左側ページ９１の上段に１２個の画像枠９３ａ〜９３ｌのなかで最も大きいサイズで横長のメインの画像枠９３ａが横配置される。また、左側ページ９１のメインの画像枠９３ａの下方左側には、上から順に横長、正方形の画像枠内に画像枠９３ｂ，９３ｃが配され、下方右側には、上から順に正方形、横長の画像枠内に画像枠９３ｄ，９３ｅが配されている。
【００５９】
また、右側ページ９２の上段には、右側に横長の画像枠９３ｆが横配置で、左側に縦長の画像枠９３ｇが縦配置で配されている。右側ページ３７の中段には、縦長の画像枠９３ｉ〜９３ｊが縦配置で３つ横に並んで配され、下段には、右側に縦長の画像枠９３ｋが縦配置で、左側に横長の画像枠９３ｌが横配置で配されている。なお、このようにレイアウトされる画像枠９３ａ〜９３ｌのうち、正方形及び縦長の画像枠内には画像が縦配置されるとともに、横長の画像枠内には画像が横配置される。図４６は、パターン２９のレイアウトについて、編集したい１つの画像２２をタッチ操作して、その４隅に編集操作ボタン４０ａ〜４０ｂが表示される状態を示す。
【００６０】
図４７に示すように、パターン３０のレイアウトでは、パターン２９のレイアウトを左側ページ９１と右側ページ９２とで入れ替えた配置とし、これらの画像枠９３ａ〜９３ｌ内に画像２２が配置される。また、図４８に示すように、パターン３１のレイアウトでは、パターン２９のレイアウトに対して見開きの２ページ９１，９２を左右反転した画像枠９３ａ〜９３ｌの配置となっており、これらの画像枠９３ａ〜９３ｌ内に画像２２が配置される。さらにまた、図４９に示すように、パターン３２のレイアウトでは、パターン２９のレイアウトを左側のページ９１と右側ページ９２とで入れ替え、さらに左右反転した画像枠９３ａ〜９３ｌの配置としており、これらの画像枠９３ａ〜９３ｌ内に画像２２が配置される。
【００６１】
パターン３３〜３６のレイアウトでは、２ページ分にレイアウトされた１２個の画像について、８個の画像を縦配置するものである。図５０に示すように、パターン３３のレイアウトでは、左側ページ９６の上段に１２個の画像枠９８ａ〜９８ｌのなかで最も大きいサイズで横長のメインの画像枠９８ａが横配置される。このメイン画像枠９８ａの下方右側に縦長の画像枠９８ｂが１つ縦配置され、下方左側に横長の画像枠９８ｃ，９８ｄが２つ縦に並んで横配置されている。
【００６２】
また、右側ページ９７の上段には、縦長の画像枠９８ｅ〜９８ｇが縦配置で３つ横に並んで配されている。右側ページ９７の中段には、右側に縦長の画像枠９８ｈが縦配置で、左側に横長の画像枠９８ｉが横配置で配され、下段には、縦長の画像枠９８ｊ〜９８ｌが縦配置で３つ横に並んで配されている。なお、このようにレイアウトされる画像枠９８ａ〜９８ｌのうち、縦長の画像枠内には画像が縦配置されるとともに、横長の画像枠内には画像が横配置される。図５１は、パターン３３のレイアウトについて、編集したい１つの画像２２をタッチ操作して、その４隅に編集操作ボタン４０ａ〜４０ｂが表示される状態を示す。
【００６３】
図５２に示すように、パターン３４のレイアウトでは、パターン３３のレイアウトを左側のページ９６と右側ページ９７とで入れ替えた配置とし、これらの画像枠９８ａ〜９８ｌ内に画像２２が配置される。また、図５３に示すように、パターン３５のレイアウトでは、パターン３３のレイアウトに対して見開きの２ページ９６，９７を左右反転した画像枠９８ａ〜９８ｌの配置となっており、これらの画像枠９８ａ〜９８ｌ内に画像２２が配置される。さらにまた、図５４に示すように、パターン３６のレイアウトでは、パターン３３のレイアウトを左側ページ９６と右側ページ９７とで入れ替え、さらに左右反転した画像枠９８ａ〜９８ｌの配置としており、これらの画像枠９８ａ〜９８ｌ内に画像２２が配置される。
【００６４】
パターン３７〜４０のレイアウトでは、２ページ分にレイアウトされた１２個の画像について、９個の画像を縦配置するものである。図５５に示すように、パターン３７のレイアウトでは、左側ページ１０１の上段左側に１２個の画像枠１０３ａ〜１０３ｌのなかで最も大きいサイズで縦長のメインの画像枠１０３ａが縦配置される。このメインの画像枠１０３ａの右側には、縦長の画像枠１０３ｂ，１０３ｃが２つ縦に並んで縦配置されている。また、左側ページ１０１の下段で、メイン画像枠１０３ａの下方には、縦長の画像枠１０３ｄ〜１０３ｆが３つ横に並んで縦配置されている。
【００６５】
また、右側ページ１０２の上段には、右側に横長の画像枠１０３ｇが横配置で、左側に縦長の画像枠１０３ｈが縦配置で配され、中段には、右側に縦長の画像枠１０３ｉが縦配置で、左側に横長の画像枠１０３ｊが横配置で配され、下段には、右側に横長の画像枠１０３ｋが横配置で、左側に縦長の画像枠１０３ｌが縦配置で配されている。なお、このようにレイアウトされる画像枠１０３ａ〜１０３ｌのうち、横長の画像枠には画像が横配置されるとともに、縦長の画像枠には画像が縦配置される。図５６は、パターン３７のレイアウトについて、編集したい１つの画像２２をタッチ操作して、その４隅に編集操作ボタン４０ａ〜４０ｂが表示される状態を示す。
【００６６】
図５７に示すように、パターン３８のレイアウトでは、パターン３７のレイアウトを左側ページ１０１と右側ページ１０２とで入れ替えた配置とし、これらの画像枠１０３ａ〜１０３ｌ内に画像２２が配置される。また、図５８に示すように、パターン３９のレイアウトでは、パターン３７のレイアウトに対して見開きの２ページ１０１，１０２を左右反転した画像枠１０３ａ〜１０３ｌの配置となっており、これらの画像枠１０３ａ〜１０３ｌ内に画像２２が配置される。さらにまた、図５９に示すように、パターン４０のレイアウトでは、パターン３７のレイアウトを左側のページ１０１と右側ページ１０２とで入れ替え、さらに左右反転した画像枠１０３ａ〜１０３ｌの配置としており、これらの画像枠１０３ａ〜１０３ｌ内に画像２２が配置される。
【００６７】
パターン４１〜４４のレイアウトでは、２ページ分にレイアウトされた１２個の画像について、１０個の画像を縦配置するものである。図６０に示すように、パターン４１のレイアウトでは、左側ページ１０６は、パターン３７と同様の配置、すなわち、左側ページ１０６の上段左側に１２個の画像枠１０８ａ〜１０８ｌのなかで最も大きいサイズで縦長のメインの画像枠１０８ａが縦配置され、メインの画像枠１０８ａの右側には、縦長の画像枠１０８ｂ，１０８ｃが２つ縦に並んで縦配置されている。また、左側ページ１０１の下段で、メイン画像枠１０８ａの下方には、縦長の画像枠１０８ｄ〜１０８ｆが３つ横に並んで縦配置されている。
【００６８】
また、右側ページ１０７の上段には、右側に縦長の画像枠１０８ｇが縦配置で、左側に横長の画像枠１０８ｈが横配置で配され、右側ページ１０７の中段右側から下段右側には、２つ縦に並んだ正方形の画像枠１０８ｉ，１０８ｊが配され、中段左側から下段左側には、上から順に横長、正方形の画像枠１０８ｋ，１０８ｌが配されている。なお、このようにレイアウトされる画像枠１０８ａ〜１０８ｌのうち、横長の画像枠には画像が横配置されるとともに、正方形及び縦長の画像枠には画像が縦配置される。図６１は、パターン４１のレイアウトについて、編集したい１つの画像２２をタッチ操作して、その４隅に編集操作ボタン４０ａ〜４０ｂが表示される状態を示す。
【００６９】
図６２に示すように、パターン４２のレイアウトでは、パターン４１のレイアウトを左側のページ１０６と右側ページ１０７とで入れ替えた配置とし、これらの画像枠１０８ａ〜１０８ｌ内に画像２２が配置される。また、図６３に示すように、パターン４３のレイアウトでは、パターン４１のレイアウトに対して見開きの２ページ１０６，１０７を左右反転した画像枠１０８ａ〜１０８ｌの配置となっており、これらの画像枠１０８ａ〜１０８ｌ内に画像２２が配置される。さらにまた、図６４に示すように、パターン４４のレイアウトでは、パターン４１のレイアウトを左側ページ１０６と右側ページ１０７とで入れ替え、さらに左右反転した画像枠１０８ａ〜１０８ｌの配置としており、これらの１０８ａ〜１０８ｌ内に画像２２が配置される。
【００７０】
パターン４５〜４８のレイアウトでは、２ページ分にレイアウトされた１２個の画像について、１１個の画像を縦配置するものである。図６５に示すように、パターン４５のレイアウトでは、左側ページ１１１は、縦及び横に２個ずつ並んだ計４個の縦長の画像枠１１３ａ〜１１３ｄが縦配置されている。
【００７１】
また、右側ページ１１２の上段には、縦長の画像枠１１３ｅ〜１１３ｇが縦配置で３つ横に並んで配されている。右側ページ１１２の中段には、右側に縦長の画像枠１１３ｈが縦配置で、左側に横長の画像枠１１３ｉが横配置で配され、下段には、縦長の画像枠１１３ｊ〜１１３ｌが縦配置で３つ横に並んで配されている。なお、このようにレイアウトされる画像枠１１３ａ〜１１３ｌのうち、縦長の画像枠には画像が縦配置されるとともに、横長の画像枠内には画像が横配置される。図６６は、パターン４５のレイアウトについて、編集したい１つの画像２２をタッチ操作して、その４隅に編集操作ボタン４０ａ〜４０ｂが表示される状態を示す。
【００７２】
図６７に示すように、パターン４６のレイアウトでは、パターン４５のレイアウトを左側ページ１１１と右側ページ１１２とで入れ替えた配置とし、これらの画像枠１１３ａ〜１１３ｌ内に画像２２が配置される。また、図６８に示すように、パターン４７のレイアウトでは、パターン４５のレイアウトに対して見開きの２ページ１１１，１１２を左右反転した画像枠１１３ａ〜１１３ｌの配置となっており、これらの画像枠１１３ａ〜１１３ｌ内に画像２２が配置される。さらにまた、図６９に示すように、パターン４８のレイアウトでは、パターン４５のレイアウトを左側のページ１１１と右側ページ１１２とで入れ替え、さらに左右反転した画像枠１１３ａ〜１１３ｌの配置としており、これらの画像枠１１３ａ〜１１３ｌ内に画像２２が配置される。
【００７３】
パターン４９〜５２のレイアウトでは、２ページ分にレイアウトされた１２個の画像について、１２個全ての画像を縦配置するものである。図７０に示すように、パターン４９のレイアウトでは、左側ページ１１６及び右側ページ１１７には、１２個の画像枠１１８ａ〜１１８ｌのなかで最も大きいサイズで縦長のメインの画像枠１１８ａ，１１８ｌが１個ずつ配される。左側ページ１１６は、パターン３７と同様の配置、すなわち、左側ページ１１６の上段左側に一方のメインの画像枠１１８ａが縦配置され、メインの画像枠１１８ａの右側には、縦長の画像枠１１８ｂ，１１８ｃが２つ縦に並んで縦配置されている。また、左側ページ１１６の下段で、メインの画像枠１１８ａの下方には、縦長の画像枠１１８ｄ〜１１８ｆが３つ横に並んで縦配置されている。
【００７４】
また、右側ページ１１７は、左側ページ１１６の配置を１８０°回転させたような配置となっており、右側ページ１１７の下段左側に他方のメインの画像枠１１８ｌが縦配置され、メインの画像枠１１８ｌの左側には、縦長の画像枠１１８ｊ，１１８ｋが２つ縦に並んで縦配置されている。また、右側ページ１１７の上段で、メイン画像枠１１８ｌの上方には、縦長の画像枠１１８ｇ〜１１８ｉが３つ横に並んで縦配置されている。なお、本実施形態は全て縦長の画像枠１１８ａ〜１１８ｌが縦配置されるレイアウトとなっている。図７１はパターン４９のレイアウトについて、編集したい１つの画像２２をタッチ操作して、その４隅に編集操作ボタン４０ａ〜４０ｂが表示される状態を示す。
【００７５】
図７２に示すように、パターン５０のレイアウトでは、パターン４９のレイアウトを左側のページ１１６と右側ページ１１７とで入れ替えた配置とし、これらの画像枠１１８ａ〜１１８ｌ内に画像２２が配置される。また、図７３に示すように、パターン５１のレイアウトでは、パターン４９のレイアウトに対して見開きの２ページ１１６，１１７を左右反転した画像枠１１８ａ〜１１８ｌの配置となっており、これらの画像枠１１８ａ〜１１８ｌ内に画像２２が配置される。さらにまた、図７４に示すように、パターン５２のレイアウトでは、パターン４９のレイアウトを左側ページ１１６と右側ページ１１７とで入れ替え、さらに左右反転した画像枠１１８ａ〜１１８ｌの配置としており、これらの１１８ａ〜１１８ｌ内に画像２２が配置される。
【００７６】
上記実施形態では、画像編集装置としてプリント注文店に設置された専用の端末機を例に挙げたが、ＰＣ、フォトストレージ、デジタルカメラ、携帯電話機、スマートフォンといった画像データを取り扱うその他の電子機器に本発明を適用することも可能である。また、ＰＣ、携帯電話機、スマートフォンなどに本発明を適用した場合、インターネットを経由してプリント指示を行うようにしてもよい。
【符号の説明】
【００７７】
１０  画像編集装置
１１  タッチパネル付き表示部
１３  メディアスロット
【図１】
2014164730.tif 000003
【図２】
2014164730.tif 000004
【図３】
2014164730.tif 000005
【図４】
2014164730.tif 000006
【図５】
2014164730.tif 000007
【図６】
2014164730.tif 000008
【図７】
2014164730.tif 000009
【図８】
2014164730.tif 000010
【図９Ａ】
2014164730.tif 000011
【図９Ｂ】
2014164730.tif 000012
【図１０Ａ】
2014164730.tif 000013
【図１０Ｂ】
2014164730.tif 000014
【図１１Ａ】
2014164730.tif 000015
【図１１Ｂ】
2014164730.tif 000016
【図１１Ｃ】
2014164730.tif 000017
【図１１Ｄ】
2014164730.tif 000018
【図１１Ｅ】
2014164730.tif 000019
【図１１Ｆ】
2014164730.tif 000020
【図１１Ｇ】
2014164730.tif 000021
【図１１Ｈ】
2014164730.tif 000022
【図１１Ｉ】
2014164730.tif 000023
【図１１Ｊ】
2014164730.tif 000024
【図１１Ｋ】
2014164730.tif 000025
【図１１Ｌ】
2014164730.tif 000026
【図１１Ｍ】
2014164730.tif 000027
【図１２】
2014164730.tif 000028
【図１３】
2014164730.tif 000029
【図１４】
2014164730.tif 000030
【図１５】
2014164730.tif 000031
【図１６】
2014164730.tif 000032
【図１７】
2014164730.tif 000033
【図１８】
2014164730.tif 000034
【図１９】
2014164730.tif 000035
【図２０】
2014164730.tif 000036
【図２１】
2014164730.tif 000037
【図２２】
2014164730.tif 000038
【図２３】
2014164730.tif 000039
【図２４】
2014164730.tif 000040
【図２５】
2014164730.tif 000041
【図２６】
2014164730.tif 000042
【図２７】
2014164730.tif 000043
【図２８】
2014164730.tif 000044
【図２９】
2014164730.tif 000045
【図３０】
2014164730.tif 000046
【図３１】
2014164730.tif 000047
【図３２】
2014164730.tif 000048
【図３３】
2014164730.tif 000049
【図３４】
2014164730.tif 000050
【図３５】
2014164730.tif 000051
【図３６】
2014164730.tif 000052
【図３７】
2014164730.tif 000053
【図３８】
2014164730.tif 000054
【図３９】
2014164730.tif 000055
【図４０】
2014164730.tif 000056
【図４１】
2014164730.tif 000057
【図４２】
2014164730.tif 000058
【図４３】
2014164730.tif 000059
【図４４】
2014164730.tif 000060
【図４５】
2014164730.tif 000061
【図４６】
2014164730.tif 000062
【図４７】
2014164730.tif 000063
【図４８】
2014164730.tif 000064
【図４９】
2014164730.tif 000065
【図５０】
2014164730.tif 000066
【図５１】
2014164730.tif 000067
【図５２】
2014164730.tif 000068
【図５３】
2014164730.tif 000069
【図５４】
2014164730.tif 000070
【図５５】
2014164730.tif 000071
【図５６】
2014164730.tif 000072
【図５７】
2014164730.tif 000073
【図５８】
2014164730.tif 000074
【図５９】
2014164730.tif 000075
【図６０】
2014164730.tif 000076
【図６１】
2014164730.tif 000077
【図６２】
2014164730.tif 000078
【図６３】
2014164730.tif 000079
【図６４】
2014164730.tif 000080
【図６５】
2014164730.tif 000081
【図６６】
2014164730.tif 000082
【図６７】
2014164730.tif 000083
【図６８】
2014164730.tif 000084
【図６９】
2014164730.tif 000085
【図７０】
2014164730.tif 000086
【図７１】
2014164730.tif 000087
【図７２】
2014164730.tif 000088
【図７３】
2014164730.tif 000089
【図７４】
2014164730.tif 000090